(57)【要約】      （修正有）【課題】コンパクトに収納することができ、首部及び頭部に冷感を与えることができるフード収納型リュックを提供する。    【解決手段】冷感生地からなるフード１と、リュック２を有し、リュック１の上部背面部３に下側方向に閉塞し上側方向に開口したポケット４を有し、ポケット４には、そのポケット４の内縁端縁部５に逢着された収納体６が収納され、収納体６には凸部が水平方向に間隔をあけて設けられており、フード１の下端縁部に、収納体６の凸部と着脱可能となる凹部９を設けた。ポケット１の開口部にはファスナーを設け、ポケット４から収納体６の凸部を引き出してフード１と接続する。【選択図】図２
0003209163.tif 000002
【実用新案登録請求の範囲】
【請求項１】
冷感生地からなるフードと、リュックを有し、リュックの上部背面部に下側方向に閉塞し上側方向に開口したポケットを有し、
前記ポケットには、そのポケット内の内縁端縁部に逢着された収納体が収納され、収納体には凸部が水平方向に間隔をあけて設けられており、
フードの下端縁部に、前記収納体の凸部と着脱可能となる凹部を設けたことを特徴とするフード収納型リュック。
【請求項２】
収納体にはフックの凸部が水平方向に間隔をあけて設けられており、
フードの下端縁部に、前記収納体のフックの凸部と着脱可能となるフックの凹部を設けたことを特徴とするフード収納型リュック。
【請求項３】
収納体には面ファスナーの凸部が水平方向に設けられており、
フードの下端縁部に、前記収納体の面ファスナーの凸部と着脱可能となる面ファスナーの凹部を設けたことを特徴とするフード収納型リュック。
【考案の詳細な説明】
【技術分野】
【０００１】
本発明は、フードとリュックとからなるフード収納型リュックにおいて、特に冷感生地からなるフードと、リュックを有するフード収納型リュックに関する。
【背景技術】
【０００２】
従来、コート背面収納バッグは公知である（特許文献１）。
【先行技術文献】
【特許文献】
【０００３】
【特許文献１】実用新案登録３１５６８７８号
【０００４】
しかしこのバッグは、チャック機能で全開放可能にフラップを形成して背面収納部を形成し、この収納部に収納して携帯可能とすることから、必要に応じて首部及び頭部に冷感を与えることができない。しかも収納部は背面に形成していることから、コンパクトに首部及び頭部を冷却することはできない。
【考案の概要】
【考案が解決しようとする課題】
【０００５】
本考案の目的は、コンパクトに収納することができ、しかも首部及び頭部に冷感を与えることができるフード収納型リュックを提供するところにある。
【課題を解決するための手段】
【０００６】
前記課題を解決するため、
冷感生地からなるフードと、リュックを有し、リュックの上部背面部に下側方向に閉塞し上側方向に開口したポケットを備え、
前記ポケットには、そのポケットの内縁端縁部に逢着された収納体が収納され、収納体には凸部が水平方向に間隔をあけて設けられており、
フードの下端縁部に、前記収納体の凸部と着脱可能となる凹部を設けたことを特徴とするフード収納型リュックを採用した。
【考案の効果】
【０００７】
従って、このフードを使用したい場合、ポケットから取り出し、フードを頭部に覆ればよいもので、きわめて簡単にかつコンパクトに着脱することができる。しかも頭部に被れば頭部から首部に至るまで冷感生地からなるフードが接触していることから、頭部から首部に至るまで冷感を体感することができる。
また使用をやめたい場合は、頭部に被ったフードを取り外し、フードごとポケットに押し込めば収納できるので、きわめて簡単に収納することができる。
【図面の簡単な説明】
【０００８】
【図１】フードとリュックを装着した状態の一実施形態を示す本発明の正面図である。
【図２】同本発明の左側面図である。
【図３】同本発明の背面図である。
【図４】同フードとリュックの接続を示す背面図である。
【図５】同リュックの平面図である。
【考案を実施するための形態】
【０００９】
図１は本発明の一実施形態を示す正面図である。図において、１は冷感生地からなるフード、２はリュックである。フード１の冷感生地としては東洋紡社製のコールドアイス(登録商標)を用いている。旭化成製のペアクール(登録商標)でも差し支えない。クールコンフォートテクノロジーによる冷感生地でも差し支えない。またリュックの生地は限定されず、ナイロン地、ポリエステル地、ポリ塩化ビニル地、ポリウレタン地等公知の材質でも差し支えない。
【００１０】
リュック２の上部背面部３には下側方向に閉塞し上側方向に開口したポケット４を有している。前記ポケット４には、内縁端縁部５に逢着された収納体６が収納されている。収納体６には複数の凸部７が水平方向に間隔をあけて設けられており、フード１の下端縁部８に、前記収納体６の凸部７と着脱可能となる凹部９が設けられている。リュック側にはポケットの上部開口部にファスナーを設けてもよい。
【００１１】
このフード収納型リュックは、上述の通りであるので、このフード１を使用したい場合、例えばリュック側の開口部に設けたファスナーを開け、ポケット４から収納体６の凸部７を引き出してフード１と接続すればよく、フード１を頭部に覆れば、きわめて簡単にかつコンパクトに着脱することができる。しかも頭部に被れば頭部から首部に至るまで冷感生地からなるフード１が接触していることから、頭部から首部に至るまで冷感を体感することができる。また使用をやめたい場合は、頭部に被ったフード１を取り外し、フード１ごとポケット４に押し込めば収納できるので、きわめて簡単に収納することができる。
なおまた、凹凸の着脱はフックでもよく、又は面ファスナーでもよい。
【００１２】
以上の通り、本考案は、冷感生地からなるフードと、リュックを有し、リュックの上部背面部に下側方向に閉塞し上側方向に開口したポケットを有し、前記ポケットには、そのポケット内の内縁端縁部に逢着された収納体が収納され、収納体には凸部が水平方向に間隔をあけて設けられており、フードの下端縁部に、前記収納体の凸部と着脱可能となる凹部を設けたことから、コンパクトに収納することができ、しかも首部及び頭部に冷感を与えることができるフード収納型リュックを提供することができた。
【符号の説明】
【００１３】
１      フード
２      リュック
３      上部背面部
４      ポケット
５      内縁端縁部
６      収納体
７      凸部
８      下端縁部
９      凹部
【図１】
0003209163.tif 000003
【図２】
0003209163.tif 000004
【図３】
0003209163.tif 000005
【図４】
0003209163.tif 000006
【図５】
0003209163.tif 000007
【手続補正書】
【提出日】平成28年12月19日(2016.12.19)
【手続補正１】
【補正対象書類名】実用新案登録請求の範囲
【補正対象項目名】全文
【補正方法】変更
【補正の内容】
【実用新案登録請求の範囲】
【請求項１】
冷感生地からなるフードと、リュックを有し、リュックの上部背面部に下側方向に閉塞し上側方向に開口したポケットを有し、
前記ポケットには、そのポケット内の内縁端縁部に逢着された収納体が収納され、収納体には凸部が水平方向に間隔をあけて設けられており、
フードの下端縁部に、前記収納体の凸部と着脱可能となる凹部を設けたことを特徴とするフード収納型リュック。
【請求項２】
収納体にはフックの凸部が水平方向に間隔をあけて設けられており、
フードの下端縁部に、前記収納体のフックの凸部と着脱可能となるフックの凹部を設けたことを特徴とする請求項１記載のフード収納型リュック。
【請求項３】
収納体には面ファスナーの凸部が水平方向に設けられており、
フードの下端縁部に、前記収納体の面ファスナーの凸部と着脱可能となる面ファスナーの凹部を設けたことを特徴とする請求項１記載のフード収納型リュック。